(57)【要約】吸収性衛生用品の生成における、複合ウエブを作製するための機械における超音波シール装置（１００）は、接触ローラ（１）を備え、接触ローラ（１）は、回転軸（Ｒ）を有し、かつ、中央部分（２）と、中央部分（２）によって支持されておりかつ接触ローラ（１）自体の外面を形成する外面（３ａ）を備える周辺部分（３）と、を備える。接触ローラ（１）は、周辺部分（３）の外面（３ａ）にシールパターン（７）を備え、また、接触ローラ（１）は、中央部分（２）および周辺部分（３）との間において作用するバネ（１１）を備え、周辺部分（３）は、バネ（１１）によって周辺部分によって支持されている。【選択図】図１
2017510476.tif 000002
【特許請求の範囲】
【請求項１】
吸収性衛生用品の生成における、複合ウエブを作製するための機械における超音波のシール装置であって、前記シール装置は、接触ローラを備え、前記接触ローラは、回転軸（Ｒ）を有し、かつ、中央部分（２）と、前記中央部分（２）によって支持されておりかつ前記接触ローラの外面を形成する外面（３ａ）を備える周辺部分（３）と、を備え、前記接触ローラは、前記周辺部分（３）の前記外面（３ａ）にシールパターン（７）を備え、前記接触ローラは、前記中央部分（２）および前記周辺部分（３）の間において作用する懸架手段（１１、１１ａ、１１ｂ）を備えることを特徴とし、前記周辺部分（３）は、前記懸架手段（１１、１１ａ、１１ｂ）によって前記中央部分（２）に関連付けられている、シール装置。
【請求項２】
前記周辺部分は、対応する懸架手段（１１、１１ａ、１１ｂ）によって、それぞれが前記中央部分（２）に関連付けられている複数の領域（１０）を備える、請求項１に記載のシール装置。
【請求項３】
前記領域（１０）は互いに独立している、請求項２に記載のシール装置。
【請求項４】
前記懸架手段（１１、１１ａ、１１ｂ）は、複数の弾性要素（１１）を備える、請求項１から３のいずれか１項に記載のシール装置。
【請求項５】
前記弾性要素（１１）は、略径方向の作用線を有する、請求項４に記載のシール装置。
【請求項６】
前記接触ローラによって供給される複合ウエブ（２００）を保持するための前記周辺部分（３）の前記外面（３ａ）と連通する吸引装置（６）を備える、請求項１から５のいずれか１項に記載のシール装置。
【請求項７】
前記周辺部分（３）は、中空の円筒のような形状になっており、前記中空の円筒の側面は、前記周辺部分（３）の前記外面（３ａ）を形成し、前記中央部分（２）は、前記中空の円筒に挿入される、請求項１から６のいずれか１項に記載のシール装置。
【請求項８】
前記シールパターン（７）は、前記周辺部分の前記外面（３ａ）において高くなっている、請求項１から７のいずれか１項に記載のシール装置。
【発明の詳細な説明】
【技術分野】
【０００１】
本発明は、シール装置に関し、より具体的には、吸収性衛生用品の生成における、複合ウエブを作製するための機械における超音波シール装置に関する。
【背景技術】
【０００２】
たとえば、乳児用オムツ、生理用ナプキンなどのような吸収性衛生用品を製造するための機械の領域において、超音波シール装置が広く用いられている。
【０００３】
周知のように、オムツは、不織布の浸透性内側層とポリエチレンの非浸透性外側層との間で通常包まれた吸収性パッドまたは詰め物を備える。
【０００４】
これらのパッドは、通常、所定の長さに切断される複合ウエブ、すなわち、多層ウエブより作製される。
【０００５】
周知の種類の吸収性パッドは、たとえば、吸収性コアを備える。この吸収性コアは、たとえば、封じ込めセルロースパルプ（フラッフ）と吸収性材料結合剤との混合物内部の高吸収性ポリマー材（ＳＡＰ）の細粒などの吸収性材料からなり、不織布の２つの層の間にはさまれる。
【０００６】
少なくとも、オムツの２つの層は、適切に作製されたシールによって、たとえば、吸収性材料を含む複数の列が形成されるように互いに接合されてもよい。
【０００７】
これらのシールは、一実施形態において、「アンビル」としても知られている接触ローラを備える超音波装置によって作製することができる。接触ローラは、その円筒状の外面に、完成品に作製されるシールの線のパターンを有する。
【０００８】
上記の層状に積み重ねられた複合ウエブよりオムツまたはその一部が得られ、この複合ウエブは、接触ローラの表面において進行するように作製される。
【０００９】
ソノトロードは、エネルギー源によって付勢され、アンビルそれ自体に形成されているパターンに応じてシールを作製するように、アンビルの反対側のウエブにおいて作動する。
【００１０】
実際に、ソノトロードは、アンビルに対向している超音波周波数での振動によって、適切に層状に積み重ねられたウエブの部分間において、具体的にはアンビルに形成されているシールパターンにおいて、摩擦を生成する。この強力な振動によって、材料を融解させる熱が生成され、これにより、複合ウエブをシールして組み合わせる。
【００１１】
上記の種類の超音波シール装置の一つの短所は、吸収性衛生用品の特定の場合において、複合ウエブ内部において、通常は細粒状のまたはそれに類似した形状である吸収性材料の一部がシールの線に沿って位置する恐れがあるという事実によるものである。そのため、これらの線に沿ったシールは適正に作製されず、全く信頼性がない。
【発明の概要】
【発明が解決しようとする課題】
【００１２】
（発明の目的）
このような状況において、本発明の主な目的は、上記の短所を解消することが可能なシール装置を提案することである。
【００１３】
本発明は、吸収性衛生用品の生成における、複合ウエブを作製するための機械における超音波シール装置であって、より高い信頼性があるシールを得ることを可能にする超音波シール装置を提供する目的を有する。
【００１４】
本発明の技術的目的および目標は、請求項１に記載の技術的特徴を備えるシール装置によって実質的に達成される。
【図面の簡単な説明】
【００１５】
本発明のさらなる特徴および長所は、図面に示すシール装置の、好ましいが非限定的な実施形態の非限定的な説明においてより明らかになる。
【図１】一部を切り取ってよりわかりやすくした、概略斜視図における本発明に係るシール装置を示す。
【図２】一部をブロックで表す、概略横断面図における図１のシール装置を示す。
【図３】一部をブロックで表す、概略縦断面図における図１のシール装置を示す。
【図４】図１から図３のシール装置によって得ることが可能な複合ウエブの例の概略断面図である。
【発明を実施するための形態】
【００１６】
（発明の好ましい実施形態の詳細な説明）
図面を参照すると、符号１は、本発明に係る接触ローラを指す。
【００１７】
ローラ１は、実質的に周知の種類のものであり、かつ、具体的に図２おいて概略的に表されている超音波シール装置１００向けに設計されている。
【００１８】
好ましくは、ローラ１は、吸収性衛生用品の生成における、複合ウエブを作製するための機械に設置されているシール装置１００向けに設計されており、吸収性衛生用品は、たとえば、以下に明示的に言及する乳児用オムツ、または生理用ナプキンなどである。
【００１９】
図４を参照すると、符号２００は、図示しないオムツを作製するために用いられる複合ウエブを指す。
【００２０】
オムツは、不織布の浸透性内側層とポリエチレンの非浸透性外側層との間で通常包まれた吸収性パッドまたは詰め物を備える。
【００２１】
ウエブ２００は、たとえば、オムツの詰め物を作製するために用いられ、かつ、不織布の２つの層２０１、２０２の間にはさまれている吸収性コアを備える。
【００２２】
吸収性コアは、たとえば、不織布の層２０１、２０２の間にはさまれている高吸収性ポリマー材（ＳＡＰ）の細粒などの吸収性材料２０３を備える。
【００２３】
完成したオムツにおいて、不織布の２つの層２０１、２０２は、適切なシールによって互いに接続される。
【００２４】
これらのシールは、たとえば、吸収性材料を含むための複数のセルを形成してもよく、かつ、シールは、連続しても、または、不連続であってもよい。すなわち、シールは、種々のパターンに応じて、要件に応じて、作製されてもよい。
【００２５】
これらのシールは、ウエブ２００上において、シール装置１００によって作製される。
【００２６】
シール装置１００は、基本的に、ブロック１０１として表される超音波振動エネルギー源と、概略的にブロック１０２として表され、かつ、エネルギー源１０１と連通して、シールされるウエブ２００に振動エネルギーを伝達するソノトロードと、「アンビル」とも称され、ウエブ２００を支持し、その特徴が本発明の理解に必要な限りのみ説明される上述のローラ１と、を備える。
【００２７】
ローラ１は、回転軸Ｒを有し、かつ、中央部分２と周辺部分３とを備える。
【００２８】
中央部分２は、シャフト４を備え、シャフト４によって、ローラ１は構造体５に接続され、構造体５は、ローラ１を支持する。
【００２９】
周辺部分３は、中央部分２によって支持されており、かつ、外面３ａを有する。外面３ａは、ウエブ２００を支持するように設計されているローラ１の外面を形成し、かつ、外面３ａにはソノトロード１０２の作用が加わる。
【００３０】
ローラ１は、吸引装置を備え、吸引装置は、概略的にブロック６として表され、ローラ１に対して複合ウエブ２００を保持するように周辺部分の外面３ａと連通する。
【００３１】
吸引装置６は、実質的に周知の種類のものであり、さらなる説明は行わない。
【００３２】
接触ローラ１は、周辺部分３の外面３ａに、シールパターン７を備え、シールパターン７は、ウエブ２００のシールパターンを決定する。
【００３３】
シールパターン７は、周辺部分の外面３ａにおいて浮き彫りになっている。すなわち、シールパターン７は、複数の要素８によって形成されており、複数の要素８は、面３ａから浮き彫りになって突出し、かつ、面３ａ自体の全体にわたって適切に分散されている。
【００３４】
具体的に図２に示すように、接触ローラ１は、中央部分２と周辺部分３との間において作用する、好ましくは弾性の懸架手段を備える。
【００３５】
有利なことに、周辺部分３は、懸架手段を介して中央部分２に関連付けられている。
【００３６】
より正確に述べると、周辺部分３は、概略的にブロック９として表されている結合装置によって、中央部分２に接続されている。
【００３７】
中央部分２に与えられる回転運動は、結合装置９によって周辺部分３に伝達される。
【００３８】
周辺部分３は、懸架手段によって中央部分２に接続されており、懸架手段は、周辺部分３が中央部分２に対して好ましくは回転軸Ｒを横断する方向に沿って動くことを可能にする。
【００３９】
懸架手段は、シールしている際、ソノトロード１０２によってローラ１に与えられる振動を減衰させる。
【００４０】
さらに、部分３は、支持する構造体５に固く接続されていないので、自在に振動することから、また、部分３は、振動することにより、ソノトロード１０２によって与えられる振動を増大させる。
【００４１】
図面に示す好ましい実施形態において、周辺部分３は、複数の、示されている例においては４つの領域１０からなり、各領域は、結合装置９および懸架手段を介して中央部分２に関連付けられている。
【００４２】
領域１０は、領域が互いに独立して中央部分２に対して動くことができるように、好ましくは互いに独立している。
【００４３】
領域１０は、部分３を形成し、かつ、中央部分２によって順番に運ばれる。
【００４４】
図に示すように、周辺部分３は、略中空の円筒であり、好ましくは、領域１０によって形成されており、領域１０の外面は上述の面３ａを構成する。
【００４５】
実際に、中央部分２は、円筒に挿入され、かつ、上記のように、具体的には結合装置９および懸架手段によって、円筒に接続されている。
【００４６】
懸架手段をより詳細に見ると、例によって示す好ましい実施形態において、懸架手段は複数の弾性押し要素１１を備えることが分かり、複数の弾性押し要素１１として、たとえば、ここではバネなどを発明を限定することなく明示的に言及する。
【００４７】
好ましくは、バネ１１の作用線は、略径方向であり、すなわち、ローラ１の回転軸Ｒを通過する。
【００４８】
図示しない代替の実施形態において、懸架手段は、空気式装置、油圧式装置、または、エラストマー装置を備える。
【００４９】
図に示すように、懸架手段は、各バネ１１向けに、ローラ１の中央部分２に形成されているハウジング１１ａを備える。
【００５０】
懸架手段は、各バネ１１向けに、ローラ１の周辺部分３に形成されているハウジング１１ｂを備える。
【００５１】
各ハウジング１１ａは、対応するハウジング１１ｂに対向し、かつ、それぞれのバネ１１は、ハウジング１１ａおよび１１ｂによって画定されている空間に含まれている。
【００５２】
言い換えると、ローラ１の中央部分２は、その外面に、複数のハウジング１１ａを有し、各ハウジングはそれぞれのバネ１１向けのものである。
【００５３】
ハウジング１１ｂは、ローラ１の周辺部分３の内面に形成されており、かつ、各ハウジング１１ｂは、部分２において対応するハウジング１１ａと対向する。
【００５４】
各弾性要素１１は、ローラ１の部分２および３によって形成されている対応する空間において、ハウジング１１ａおよびそれぞれのハウジング１１ｂにおいて保持されている。
【００５５】
上記の発明は重要な長所をもたらす。
【００５６】
使用の際、ウエブ２００は、シール装置のアンビルを構成するローラ１の表面の上を進行するように作製される。
【００５７】
ローラ１の、複合ウエブに触れる部分３は、振動作用が適切に制御されることを可能にするバネに部分３が懸架されていることから、ソノトロードによって振動するように作製される。上記の種類のウエブ２００の生成において使用されるのに好ましい場合、たとえば、部分３を振動させることにより、吸収性材料２０３などの材料は要素８に触れないので、材料は、ソノトロードの作用を妨げず、そのためこの作用は自在に最適なシールを作製する。実際上、シールにおいて、不織布の層は、ＳＡＰなど異物が層の間にはさまれることなく、互いに接触し続けているため、結果として得られるシールには不備が無い。
【図１】
2017510476.tif 000003
【図２】
2017510476.tif 000004
【図３】
2017510476.tif 000005
【図４】
2017510476.tif 000006
【国際調査報告】
2017510476.tif 000007
2017510476.tif 000008